(57)【要約】【課題】踏台の天板部に上った作業者の重心が前方に偏ったとしても、踏台が転倒する危険が殆どなく、作業者が安全に作業できる踏台を提供する。【解決手段】  踏台１は、左右一対の主脚３ａの間に少なくとも一の踏桟５を備える前部フレーム７の上端と左右一対の主脚３ｂの間に少なくとも一の横杆９を備える後部フレーム１１の上端とを両フレームの下端が相互に離れるように連結する踏台において、該連結部１３の近傍に天板部１５を配設し、該後部フレーム１１の両主脚３ｂの下部は該前部主脚３ａから離れるように略水平に伸びる接地部１７を備えさせる。前部フレーム７の主脚３ａの上端部に前記天板部１５より上方に突出する手摺杆２１をそれぞれ設け、該該手摺杆２１の上部は、相互に接近するように屈曲部２３を有する。【選択図】図１
2020007787.tif 000002
【特許請求の範囲】
【請求項１】
左右一対の主脚間に少なくとも一の踏桟を備える前部フレームの上端と左右一対の主脚間に少なくとも一の横杆を備える後部フレームの上端とを両フレームの下端が相互に離れるように連結して該連結部の近傍に天板部を配設する踏台において、
該後部フレームの両主脚の下部は、該前部フレームから離れるように略水平に伸びる接地部を備えることを特徴とする踏台。
【請求項２】
前記前部フレーム又は後部フレームの各主脚の上端部に前記天板部より上方に突出する手摺杆をそれぞれ設け、
該各手摺杆の上部は相互に接近するように屈曲していることを特徴とする請求項１記載の踏台。
【発明の詳細な説明】
【技術分野】
【０００１】
本発明は、天板部に上って作業しても倒れにくい踏台に関する。
【背景技術】
【０００２】
踏台や脚立は、踏台又は脚立の天板部に上って作業する作業者がバランスを崩して落下したり、踏台や脚立ごと倒れて落下したりすることがあり、対策が望まれている。
【０００３】
特許文献１は、梯子状脚体と一本の棒状脚体とを上端部で開閉可能に枢着し、梯子状脚体又は棒状脚体の上端部に天板部より上方に突出する手摺を設けた三脚脚立であり、作業者が天板上で作業する際に該手摺に太腿部などを押し付けることにより作業者がバランスを崩しにくい脚立を開示した、
【０００４】
しかしながら、上記脚立は、作業者が作業中に前方に身を乗り出したりして重心が前方に偏ると、脚立が倒れててしまうため作業者が脚立ごと転倒したり、脚立から落下したりするという問題点がある。
【先行技術文献】
【特許文献】
【０００５】
【特許文献１】特開２００７−１７７４５２号公報
【発明の概要】
【発明が解決しようとする課題】
【０００６】
本発明は、踏台の脚に接地部を設けることにより、踏台の天板部に上った作業者の重心が前方に偏ったとしても、踏台が転倒する危険が殆どなく、作業者が安全に作業できる踏台を提供する。
【課題を解決するための手段】
【０００７】
上記課題を解決する本発明は次の内容のものである。
【０００８】
左右一対の主脚間に少なくとも一の踏桟を備える前部フレームの上端と左右一対の主脚間に少なくとも一の横杆を備える後部フレームの上端とを両フレームの下端が相互に離れるように連結して該連結部の近傍に天板部を配設する踏台において、
該後部フレームの両主脚の下部は、該前部フレームから離れるように略水平に伸びる接地部を備える。
【０００９】
前記前部フレーム又は後部フレームの各主脚の上端部に前記天板部より上方に突出する手摺杆をそれぞれ設け、
該各手摺杆の上部は相互に接近するように屈曲している。
【発明の効果】
【００１０】
本発明の踏台は、作業者が踏台の天板部に上って作業する際に、作業者の重心が後部フレームの方に偏っても、踏台が転倒する危険性は殆どなく安全に作業することができる。
【００１１】
本発明の踏台に手摺杆を備えさせることにより、作業者が踏台の天板部に上って作業する際に、手摺杆につかまり後部フレーム方に体重をかけたり手摺杆で体を支えたりして作業しても踏台が転倒することは殆どなく、作業者は天板部の上でより安全に作業をすることができる。
【図面の簡単な説明】
【００１２】
【図１】本発明の踏台の一例を示す斜視図である。
【図２】本発明の踏台の一例を示す側面図である。
【図３】本発明の踏台を折り畳んだ一例を示す側面図である。
【図４】本発明の踏台の別の一例を示す斜視図である。
【図５】本発明の踏台の使用例を示す斜視図である。
【発明を実施するための形態】
【００１３】
以下、本発明の実施の形態の例について図を参照しながら説明する。尚、本発明は、以下の形態の例に限定されるものではない。
【００１４】
図１、２、４に示すように、本発明の踏台１は、左右一対の主脚３ａの間に少なくとも一の踏桟５を備える前部フレーム７の上端と左右一対の主脚３ｂの間に少なくとも一の横杆９を備える後部フレーム１１の上端とを両フレームの下端が相互に離れるように連結する踏台において、該連結部１３の近傍に天板部１５を配設し、該後部フレーム１１の両主脚３ｂの下部は該前部主脚３ａから離れるように略水平に伸びる接地部１７を備えさせる。
【００１５】
接地部１７は、踏台１が転倒しにくくなる長さであれば特に限定はなく、地面から該天板部１５までの高さや前部フレーム７と後部フレーム１１との開脚角度に応じた適切な長さにするのが好ましく、一例として、約１０ｃｍ〜約５０ｃｍとする。
【００１６】
接地部１７は、図１、図４に示すように、一例として主脚３ｂの下部を屈曲させることにより備えさせる。図１に示すように径が大きな略円弧状に屈曲させてもよいし、図４に示すように径が小さな円弧状として屈曲させてもよい。他の例としては、略直線状の主脚３ａの下端に略直線状の接地部１７を別途固定することにより、接地部１７を備えさせてもよい。該接地部１７の固定手段は、溶接、ビス止めなどの通常用いられる固定手段を用いればよい。
【００１７】
該後部フレーム１１の横杆９の位置は特に限定はなく、例えば、図１に示すように主脚３ｂ（接地部１７）と天板部１５との間であればよく、主脚３ｂ（接地部１７）の下端部に備えさせてもよい。横杆９を接地部１７又は接地部１７の下端に備えるさせることにより、横杆９は地面に接するものとなり、踏台１の安定性は増すこととなる。該横杆９を備えさせる方法は特に限定はなく、主脚３ｂに溶接、ビス止め等の一般的な方法により備えさせればよい。また、横杆９は、上記の如く別途備えさせてもよいが、図４に示すように主脚３ｂ（接地部１７）を伸長させて屈曲させるなどして一体として形成するなどしてもよい。
【００１８】
本発明の踏台１は、前部フレーム７と後部フレーム１１との連結を開閉可能なものとすることにより、市販されている踏台と同様に折り畳むことが可能となる（図３参照）。折り畳み可能な踏台１には、前部フレーム７と該後部フレーム１１とを開いて使用する場合に踏台１の開脚姿勢を保持するための保持具１９を備えさせるのが好ましい。保持具１９は特に限定はなく、通常使用される折り畳み式の脚立や踏台に用いられる手段でよい。
【００１９】
本発明の踏台１は、一例として、天板部１５の後部フレーム側の端部には、天板部１５より上方に立設したストッパー２５を備える。該ストッパー２５があることにより、作業者が天板部１５に上り作業する際に、該ストッパー２５に作業者のつま先が当たり、作業者の足が天板部１５から前方に足を落ちることや足を踏み外したりすることを防止でき、安全に作業することができるものとなる。
【００２０】
また、踏台１の天板部１５の前部フレーム側には、例えば、把持部２７を備えるさせる（図４参照）。踏台１を一旦置いた位置を作業に適する位置に移動させる場合、該把持部２７を把持して踏台１を押したり、引いたりすることにより、踏台１の位置を最も作業しやすい位置に移動することが容易になる。該把持部の形状に特は限定がなく、把持しやすい形状であればよく、一例として、図４に示すように天板部の両端をＵ時状に連結する杆を備えさせるなどする。
【００２１】
本発明の踏台１は、好ましくは、前部フレーム７の主脚３ａ又は後部フレーム１１の主脚３ｂの上端部に前記天板部１５より上方に突出する手摺杆２１をそれぞれ設ける。該該手摺杆２１の上部は、相互に接近するように屈曲部２３を有する（図１参照）。該手摺杆２１は、一例として、該主脚３ａ又は該主脚３ｂの上端部に別途に取り付ける。該取付方法に特に限定はなく、溶接、ビス止めなどの通常行わる手段を用いる。また、他の例としては、該手摺杆２１は該主脚３ａを所要の長さに延長して形成してもよい。
【００２２】
該手摺杆２１上部の該屈曲部２３の端部２４は相互に離隔していてもよく（図1参照）、端部２４を固着してもよい。また、手摺杆２１と屈曲部２３とを一体に形成してもよく、更には、主脚３ａと手摺杆２１と屈曲部２３とを一体に形成してもよい（図４参照）。
【００２３】
本発明の踏台１は、作業者が天板部１５に上って後部フレーム１１側に体重をかけても踏台１は転倒しないため、作業者は手摺杆２１につかまったり、手摺杆２１で体を支えたりするなどして、前方に手を伸ばして作業することができる。そのため、踏台から離れたところにまで手を届かせることでき、作業できる範囲が広がる。
【００２４】
本発明の踏台１は、一例として自動車の洗車用の踏台として使用することができる（図５参照）。接地部１７を自動車２９の車体の下に入れることにより、天板部１５を自動車２７に近づけることができ、また、手摺杆２１で体を支えて前方に両手を伸ばすことができるため、自動車２９のルーフ３１を洗う、ワックスをかけるなどの作業が容易になる。
【符号の説明】
【００２５】
１  踏台
３ａ  主脚
３ｂ  主脚
５  踏桟
７  前部フレーム
９  横杆
１１  後部フレーム
１３  連結部
１５  天板部
１７  接地部
１９  保持具
２１  手摺杆
２３  屈曲部
２４  端部
２５  ストッパー
２７  把持部
２９  自動車
３１  ルーフ
【図１】
2020007787.tif 000003
【図２】
2020007787.tif 000004
【図３】
2020007787.tif 000005
【図４】
2020007787.tif 000006
【図５】
2020007787.tif 000007